(57)【要約】【課題】インパクトある表示を行うことができる表示具を提供する。【解決手段】表示部１１の第一表示面１２と第二表示面１３との間に発光ダイオード４６を設け、その光を各表示面１２，１３に設けられた第一及び第二透光穴２２，２３から照射する。これにより、表示部１１を目立たせることができるので、インパクトある表示を行うことができる。表示部１１を、陳列棚１１１の前方Ｆに設けられた通路側へ延出するように取り付け、両表示面１２，１３の各透光穴２２，２３からは通路の往来方向へ向けて光りを発する。これにより、通路の通行人は、離れた位置からこの表示部１１を認識することができる。【選択図】図２
2015150233.tif 000002
【特許請求の範囲】
【請求項１】
陳列棚にセットされる表示具において、
前記陳列棚に取り付けた状態で当該陳列棚の前方へ向けて延出する表示部を備え、
該表示部を、その一面を構成する第一表示面と他面を構成する第二表示面とで構成し、両表示面間に光を発する発光手段を設けるとともに、該発光手段からの光を外面側へ通す透光穴を前記各表示面に設けたことを特徴とする表示具。
【請求項２】
前記陳列棚の前縁に沿って立設された板状部材が挿入される係合溝を形成する為の切り込みを前記各表示面の一端側に設けたことを特徴とする請求項１記載の表示具。
【請求項３】
前記各表示面の前記切り込みに沿った折曲を容易とする易折曲部を前記各切り込みの延長上に設けたことを特徴とする請求項２記載の表示具。
【請求項４】
前記各表示面の一端より延出するとともに前記陳列棚の前部に設けられたカードレールに係止される端部係止片を設けたことを特徴とする請求項１、２又は３記載の表示具。
【請求項５】
一方の前記表示面の上縁より延出するとともに前記陳列棚の前部に設けられたカードレールに係止される上部係止片を設けたことを特徴とする請求項１から４にいずれか記載の表示具。
【発明の詳細な説明】
【技術分野】
【０００１】
本発明は、陳列棚にセットされる表示具に関する。
【背景技術】
【０００２】
従来、陳列棚には、商品の説明や商品名を表示する為の表示具が設けられていた。
【０００３】
これにより、目的の商品の陳列場所の表示や新製品の紹介が行われていた。
【発明の概要】
【発明が解決しようとする課題】
【０００４】
しかしながら、このような従来の表示具にあっては、商品名や商品の絵等が付されているだけで、インパクトが弱いものであった。
【０００５】
本発明は、このような従来の課題に鑑みてなされたものであり、インパクトある表示を行うことができる表示具を提供することを目的とするものである。
【課題を解決するための手段】
【０００６】
前記課題を解決するために本発明の請求項１の表示具にあっては、陳列棚にセットされる表示具において、前記陳列棚に取り付けた状態で当該陳列棚の前方へ向けて延出する表示部を備え、該表示部を、その一面を構成する第一表示面と他面を構成する第二表示面とで構成し、両表示面間に光を発する発光手段を設けるとともに、該発光手段からの光を外面側へ通す透光穴を前記各表示面に設けた。
【０００７】
すなわち、この表示具は、陳列棚に取り付けた状態で、表示部が前記陳列棚の前方へ向けて延出する。このとき、この表示部は、その一面を構成する第一表示面と他面を構成する第二表示面とで構成されており、両表示面間には光を発する発光手段が設けられ、該発光手段からの光を外面側へ通す透光穴が前記各表示面に設けられている。
【０００８】
このため、前記表示部は、前記透光穴の部位が前記発光手段からの光によって光るので、表示部が光らない表示具と比較して、目立ちやすく広告効果が高められる。
【０００９】
前記透光穴は、前記表示部の一面を構成する第一表示面と、他面を構成する第二表示面とに設けられている。このため、前記両表示面間に設けられた単一の発光手段によって、前記両表示面の透光穴を光らせることができる。
【００１０】
このとき、前記表示部は、前記陳列棚の前方に設けられた通路側へ延出するように取り付けられており、前記両表示面に設けられた前記透光穴からは、前記通路の往来方向へ向けて光りが発せられる。
【００１１】
このため、前記通路の通行人は、離れた位置から前記表示部を認識することができる。
【００１２】
また、請求項２の表示具においては、前記陳列棚の前縁に沿って立設された板状部材が挿入される係合溝を形成する為の切り込みを前記各表示面の一端側に設けた。
【００１３】
すなわち、陳列棚には、陳列商品の落下防止用の板状部材が前縁に立設されたものがある。このような陳列棚においては、前記各表示面の一端側に設けられた切り込みによって係合溝を形成するとともに、該係合溝に前記板状部材を挿入することで、当該表示部の一端側を前記板状部材に係合する。
【００１４】
これにより、当該表示具は、前記表示部の他端側を前記陳列棚の前方へ延出した状態で取り付けられる。
【００１５】
さらに、請求項３の表示具では、前記各表示面の前記切り込みに沿った折曲を容易とする易折曲部を前記各切り込みの延長上に設けた。
【００１６】
すなわち、陳列棚には、価格表などの紙片を前後から挟持するカードホルダーが前部に設けられたものがある。このような陳列棚においては、前記各表示面の易折曲部より前記一端側を当該易折曲部に沿って折曲する。このとき、この折曲部分の側部には、前記切り込みが形成されており、当該切り込みより前記一端側には挿入片が形成される。
【００１７】
このため、この挿入片を前記カードホルダーに挟持することで、当該表示具は、前記表示部の他端側を前記陳列棚の前方へ延出した状態で取り付けられる。
【００１８】
加えて、請求項４の表示具にあっては、前記各表示面の一端より延出するとともに前記陳列棚の前部に設けられたカードレールに係止される端部係止片を設けた。
【００１９】
すなわち、陳列棚には、価格表などの紙片の上下縁を係止するカードレールが前部に設けられたものがある。このような陳列棚においては、前記各表示面の一端より延出した端部係止片を前記カードレールに係止する。
【００２０】
これにより、当該表示具は、前記表示部の他端側を前記陳列棚の前方へ向けて延出した状態で取り付けられる。
【００２１】
また、請求項５の表示具においては、一方の前記表示面の上縁より延出するとともに前記陳列棚の前部に設けられたカードレールに係止される上部係止片を設けた。
【００２２】
すなわち、陳列棚には、価格表などの紙片の上下縁を係止するカードレールが前部に設けられたものがある。このような陳列棚においては、一方の表示面の上縁より延出した上部係止片を前記カードレールに係止する。
【００２３】
これにより、当該表示具は、いずれかの表示面が前記陳列棚の前方へ向いた状態で取り付けられる。
【発明の効果】
【００２４】
以上説明したように本発明の請求項１の表示具にあっては、表示部に設けられた透光穴を光らせることによって、当該表示部を目立たせることができ、インパクトある表示を行うことができる。これにより、表示部が光らない表示具と比較して、広告効果を高めることができる。
【００２５】
そして、前記透光穴は、前記表示部の一面を構成する第一表示面と、他面を構成する第二表示面とに設けられており、前記両表示面間に発光手段を設けることによって、単一の発光手段により前記両表示面の前記透光穴を光らせることができる。このため、前記第一表示面側を光らせる発光手段と、前記第二表示面を光らせる発光手段とを個別に設ける場合と比較して、構成の簡素化を図ることができるとともに、低コスト化を図ることができる。
【００２６】
このとき、前記表示部は、前記陳列棚の前方に設けられた通路側へ延出するように取り付けられており、前記両表示面に設けられた前記透光穴からは、前記通路の往来方向へ向けて光りを発することができる。
【００２７】
このため、前記通路の通行人は、離れた位置からこの表示部を認識することができるので、表示具の正面に来た者にしか商品等のアピールをすることができなかった従来と比較して、集客力を高めることができる。
【００２８】
また、請求項２の表示具においては、商品落下防止用の板状部材が前縁に設けられた陳列棚に対しては、前記表示部の各表示面の一端側に設けられた切り込みによって係合溝を形成するとともに、前記係合溝に前記板状部材を挿入することで、当該表示部の一端側を前記板状部材に係合することができる。
【００２９】
これにより、前記表示部の他端側を前記陳列棚の前方へ延出した取付形態を形成することができる。
【００３０】
さらに、請求項３の表示具では、価格表などの紙片を前後から挟持するカードホルダーが前部に設けられた陳列棚に対しては、前記表示部の各表示面の易折曲部より一端側を前記易折曲部に沿って折曲する。このとき、この折曲部分の側部には、切り込みが形成されており、当該切り込みより前記一端側に挿入片を形成することができる。
【００３１】
このため、この挿入片を前記カードホルダーに挟持することで、前記表示部の他端側を前記陳列棚の前方へ延出した取付状態を形成することができる。
【００３２】
加えて、請求項４の表示具にあっては、価格表などの紙片の上下縁を係止するカードレールが前部に設けられた陳列棚に対しては、前記表示部の各表示面の一端より延出した端部係止片を前記カードレールに係止することができる。
【００３３】
これにより、前記表示部の他端側を前記陳列棚の前方へ延出した取付状態を形成することができる。
【００３４】
また、請求項５の表示具においては、価格表などの紙片の上下縁を係止するカードレールが前部に設けられた陳列棚に対しては、一方の表示面の上縁より延出した上部係止片を前記カードレールに係止することができる。
【００３５】
これにより、いずれかの表示面が前記陳列棚の前方へ向いた取付形態をも形成することができ、取付形態のバリエーションを増大することができる。またこのように、複数の形態の陳列棚に対して、単独の表示具を取り付けることができる。
【図面の簡単な説明】
【００３６】
【図１】本発明の実施の形態を展開した状態を示す図である。
【図２】（ａ）は同実施の形態の第一使用形態を示す説明図であり、（ｂ）は第二使用形態を示す説明図である。
【図３】（ａ）は同実施の形態の第三使用形態を示す説明図であり、（ｂ）は第四使用形態を示す説明図である。
【発明を実施するための形態】
【００３７】
以下、本発明の一実施の形態を図に従って説明する。
【００３８】
図１は、本実施の形態にかかる表示具１を示す図であり、該表示具１が展開された状態が示されている。この表示具１は、陳列棚にセットされるものであり、商品の宣伝や広告に用いられるものである。
【００３９】
この表示具１は、ボール紙で形成されており、長方形状の表示部１１を中心に構成されている。なお、本実施の形態では、表示具１をボール紙で形成した場合に付いて説明するが、これに限定されるものでは無い。例えば合成樹脂で形成されたものであっても良い。この表示部１１は、その一面を構成する第一表示面１２と、他面を構成する第二表示面１３とで構成されており、両表示面１２，１３は、横長の長方形状に形成されている。前記両表示面１２，１３の上縁部には、上方へ向けて円弧状に突出した円弧部１４，１４が中央部に形成されており、両表示面１２，１３は、略同型状に形成されている。
【００４０】
前記両表示面１２，１３の外側面２１には、商品名や商品説明の印刷が施されており、商品の宣伝や広告を行うとともに、商品の陳列位置を案内できるように構成されている。前記各表示面１２，１３の外表面２１には、例えば自動車の絵が印刷されており、前記第一表示面１２に印刷された自動車のライトの部分には第一透光穴２２が開設されているとともに、前記第二表示面１３に印刷された自動車のライトの部分には第二透光穴２３が開設されている。
【００４１】
前記第一表示面１２の左縁と、前記第二表示面１３の右縁とは、縦長の長方形状の連結部３１で連結されており、該連結部３１と前記各表示面１２，１３との間には、線状にプレスする等して折曲を容易とする山折り線３２，３２が設けられている。これにより、前記各山折り線３２，３２に沿って山折りすることで、前記第一表示面１２の内側面と前記第二表示面１３の内側面とを対面できるように構成されており、この対面状態において、前記第一表示面１２の前記第一透光穴２２と前記第二表示面１３の前記第二透光穴２３とが同位置に配置されるとともに、前記第一表示面１２と前記第二表示面１３との間に間隙を確保できるように構成されている。
【００４２】
前記第一表示面１２の内側面には、円形の電子基板４１が設けられており、該電子基板４１の裏面４２には、ボタン電池４３、スイッチ４４、電子部品４５、及び発光ダイオード４６が設けられ、電子回路が形成されている。この電子回路では、前記スイッチ４４がオン操作された際に、発光手段としての前記発光ダイオード４６を不規則に点滅するように構成されており、その光は、前記発光ダイオード４６の先端４７から照射されるとともに、当該発光ダイオード４６の基端４８側からも照射されるように構成されている。
【００４３】
この電子基板４１の上部には、円形穴５１が開設されており、該円形穴５１には、前記発光ダイオード４６の先端部が挿入されている。これにより、前記電子基板４１の表面５２には、前記発光ダイオード４６の先端部が突出するとともに、前記電子基板４１の裏面４２には、前記発光ダイオード４６の基端４８が露出するように構成されており、前記電子基板４１の表面５２側には前記発光ダイオード４６の先端４７からの光が、前記電子基板４１の裏面４２側には前記発光ダイオード４６の基端４８からの光が出力されるように構成されている。
【００４４】
前記電子基板４１の表面４２には、表面側両面テープ６１が設けられており、当該電子基板４１は、前記円形穴５１より突出した前記発光ダイオード４６の先端部が前記第一表示面１２の前記第一透光穴２２に挿入された状態で前記表面側両面テープ６１によって当該第一表示面１２の内側面に固定されている。また、前記電子基板４１裏面４２の前記ボタン電池４３には、裏面側両面テープ６２が貼着されており、該裏面側両面テープ６２の剥離紙６３を剥離することで、当該裏面側両面テープ６２を前記第二表示面１３の内側面に貼着できるように構成されている。
【００４５】
これにより、この電子基板４１によって前記第一表面１２と前記第二表示面１３とを接合できるように構成されており、この接合状態において、前記発光ダイオード４６を有した前記電子基板４１を前記両表示面１２，１３間に配置できるように構成されている。このとき、前記第一表示面１２の前記第一透光穴２２と前記第二表示面１３の前記第二透光穴２３とは同位置に配置されるように構成されており、前記電子基板４１に設けられた前記発光ダイオード４６の基端４８の位置が前記第二透光穴２３の位置と合致することで、前記発光ダイオード４６の先端４７からの光は前記第一表示面１２の前記第一透光穴２２から前方へ向けて照射されるとともに、前記発光ダイオード４６の基端４８からの光は前記第二表示面１３の前記第二透光穴２３から後方へ向けて照射されるように構成されている。
【００４６】
前記第一表示面１２の右端部には、第一切込１０１が形成されており、該第一切込１０１は、当該第一表示面１２の下縁から上方へ向けて延在する垂直部１０２と、該垂直部１０２の先端より右方へ向けて延出した水平部１０３とによってＬ字状に形成されている。該水平部１０３の先端と前記下縁との間には、線状にプレスする等して折曲を容易とする第一曲げ線１０４が前記垂直部１０２に平行して設けられており、この第一曲げ線１０４に沿って折り曲げることによって、前記垂直部１０２と前記第一曲げ線１０４との間に、図２の（ａ）に示すように、陳列棚１１１の前縁に沿って立設された板状部材であるこぼれ止めガード１１２を挿入する為の第一係合溝１１３を形成できるように構成されている。
【００４７】
前記第二表示面１３の左端部には、図１に示したように、第二切込１２１が形成されており、該第二切込１２１は、当該第二表示面１３の下縁から上方へ向けて延在する垂直部１２２と、該垂直部１２２の先端より左方へ向けて延出した水平部１２３とによってＬ字状に形成されている。該水平部１２３の先端と前記下縁との間には、線状にプレスする等して折曲を容易とする第二曲げ線１２４が前記垂直部１２２に平行して設けられており、この第二曲げ線１２４に沿って折り曲げることによって、前記垂直部１２２と前記第二曲げ線１２４との間に、図２の（ａ）に示すように、陳列棚１１１の前縁に沿って立設された前記こぼれ止めガード１１２を挿入する為の第二係合溝１２５を形成できるように構成されている（第一係合溝１１３側のみを参考に図示）。
【００４８】
また、前記第一表示面１２には、図１に示したように、前記第一切込１０１の前記垂直部１０２の延長上に、線状にプレスする等して折曲を容易とする第一易折曲部１３１が上縁に達するように形成されており、当該第一表示面１２の右縁部を前記第一切込１０１の前記垂直部１０２に沿って側方へ折曲できるように構成されている。これにより、前記第一切込１０１より右端側には、図２の（ｂ）に示すように、側方へ延出する第一挿入片１３２を形成できるように構成されている。
【００４９】
前記第二表示面１３には、図１に示したように、前記第二切込１２１の前記垂直部１２２の延長上に、線状にプレスする等して折曲を容易とする第二易折曲部１４１が上縁に達するように形成されており、当該第二表示面１３の左縁部を前記第二切込１２２の前記垂直部１２２に沿って側方へ折曲できるように構成されている。これにより、前記第二切込１２１より左端側には、側方へ延出する第二挿入片１４２を形成できるように構成されている。
【００５０】
ここで、図２の（ｂ）に示したように、前記陳列棚１１１には、価格表などの紙片を上方から挿入して断面Ｕ字状を成す前板１５１及び後板１５２によって前後から挟持する透明アクリル板からなるカードホルダー１５３が前縁に設けられたものがある。このような陳列棚１１１においては、前記第一及び第二挿入片１３２，１４２を前記前板１５１及び後板１５２間に挿入することで、当該表示具１を前記カードホルダー１５３にセットできるように構成されている。
【００５１】
さらに、前記第一表示面１２には、図１に示したように、その右縁の中途部から第一延出部１６１が斜め下方へ向けて延出しており、該第一延出部１６１の先端には、正方形状の第一端部係止片１６２が設けられている。前記第一延出部１６１の基端には、線状にプレスする等して折曲を容易とする曲げ線１６３が右縁に沿って形成されており、前記第一延出部１６１と前記第一端部係止片１６２との間には、線状にプレスする等して折曲を容易とする折曲線１６４が形成されている。
【００５２】
前記第一端部係止片１６２は、図３の（ａ）に示すように、前記陳列棚１１１の前縁に沿って設けられたカードレール１７１の上縁係止溝１７２と下縁係止溝１７３とに、その上縁１６２ａ及び下縁１６２ｂを係止できる大きさに形成されており（図１参照）、当該第一端部係止片１６２を前記カードレール１７１に係止できるように構成されている。
【００５３】
前記第二表示面１３には、図１に示したように、その左縁の中途部から第二延出部１８１が斜め下方へ向けて延出しており、該第二延出部１８１の先端には、正方形状の第二端部係止片１８２が設けられている。前記第二延出部１８１の基端には、線状にプレスする等して折曲を容易とする曲げ線１８３が左縁に沿って形成されており、前記第二延出部１８１と前記第二端部係止片１８２との間には、線状にプレスする等して折曲を容易とする折曲線１８４が形成されている。
【００５４】
前記第二端部係止片１８２は、図３の（ａ）に示すように、前記陳列棚１１１の前記カードレール１７１の上縁係止溝１７２と下縁係止溝１７３とに、その上縁１８２ａ及び下縁１８２ｂを係止できる大きさに形成されており（図１参照）、当該第二端部係止片１８２を前記カードレール１７１に係止できるように構成されている（第一端部係止片１６２側のみを参考に図示）。
【００５５】
また、前記第一表示面１２には、図１に示したように、前記円弧部１４の上縁から上部延出部２０１が上方へ向けて延出しており、該上部延出部２０１の先端には、横長の長方形状の上部係止片２０２が設けられている。前記上部延出部２０１の左縁２０３及び右縁２０４の延長上に位置する前記上部係止片２０２の部位には、小切込２０５，２０５が形成されており、前記上部係止片２０２には、線状にプレスする等して折曲を容易とする折曲線２０６が前記両小切込２０５，２０５の先端を結ぶように形成されている。また、前記上部延出部２０１の基端には、線状にプレスする等して折曲を容易とする曲げ線２０７が水平に形成されている。
【００５６】
前記上部係止片２０２は、図３の（ｂ）に示すように、前記陳列棚１１１の前記カードレール１７１の前記上縁係止溝１７２と前記下縁係止溝１７３とに、その上縁２０２ａ及び下縁２０２ｂを係止できる大きさに形成されており（図１参照）、当該上部係止片２０２を前記カードレール１７１に係止できるように構成されている。このとき、前記上部延出部２０２は、前記小切込２０５，２０５によって、前記折曲線２０６による曲げ位置が前記上縁係止溝１７２と係合する前記上部係止片２０２の上縁２０２ａより内側となるように設定されており、カードレール係止状態において、前記上部延出部２０１が前記上縁係止溝１７２と干渉しないように構成されている。
【００５７】
そして、前記上部係止片２０２の外側面２１には、両面テープ２１１が帖着されており、その剥離紙２１２を剥離することによって、当該上部係止片２０２を前記両面テープ２１１によって前記陳列棚１１１の下面に貼着できるように構成されている。
【００５８】
以上の構成にかかる本実施において、この表示具１は、陳列棚１１１に取り付けた状態で、表示部１１が前記陳列棚１１１の前方Ｆへ向けて延出する。このとき、この表示部１１は、その一面を構成する第一表示面１２と他面を構成する第二表示面１３とで構成されており、両表示面１２，１３間には光を発する発光手段としての発光ダイオード４６が設けられ、該発光ダイオード４６からの光を外側面２１へ通す第一及び第二透光穴２２，２３が前記各表示面１２，１３に設けられている。
【００５９】
このため、前記表示部１１は、前記各透光穴２２，２３の部位が前記発光ダイオード４６からの光によって不規則に点滅するので、当該表示部１１を目立たせることができ、インパクトある表示を行うことができる。これにより、表示部が光らない表示具と比較して、広告効果を高めることができる。
【００６０】
そして、前記各透光穴２２，２３は、前記表示部１１の一面を構成する前記第一表示面１２と、他面を構成する第二表示面１３とに設けられており、前記両表示面１２，１３間に前記発光ダイオード４６を設けることによって、単一の発光ダイオード４６により前記両表示面１２，１３の前記両透光穴２２，２３を光らせることができる。このため、前記第一表示面１２側を光らせる発光ダイオードと、前記第二表示面１３を光らせる発光ダイオードとを個別に設ける場合と比較して、構成の簡素化を図ることができるとともに、低コスト化を図ることができる。
【００６１】
このとき、前記表示部１１は、前記陳列棚１１１の前方Ｆに設けられた通路側へ延出するように取り付けられており、前記両表示面１２，１３に設けられた前記各透光穴２２，２３からは、前記通路の往来方向へ向けて光りを発することができる。
【００６２】
このため、前記通路の通行人は、離れた位置からこの表示部１１を認識することができるので、表示具の正面に来た者にしか商品等のアピールをすることができなかった従来と比較して、集客力を高めることができる。
【００６３】
一方、図２の（ａ）に示したように、前記陳列棚１１１には、陳列商品の落下防止用のこぼれ止めガード１１２が前縁に立設されたものが知られている。
【００６４】
このような陳列棚１１１に対しては、前記表示部１１の前記各表示面１２，１３の一端側に設けられた各切込１０１，１２１によって各係合溝１１３，１２５を形成するとともに、前記各係合溝１１３，１２５に前記こぼれ止めガード１１２を挿入することで、当該表示部１１の一端側を前記こぼれ止めガード１１２に係合することができる。
【００６５】
これにより、前記表示部１１の他端側を前記陳列棚１１１の前方Ｆへ延出した取付形態を形成することができる。
【００６６】
また、図２の（ｂ）に示したように、前記陳列棚１１１には、価格表などの紙片を前後から挟持するカードホルダー１５３が前部に設けられたものが知られている。
【００６７】
このような陳列棚１１１に対しては、前記表示部１１の前記各表示面１２，１３の各易折曲部１３１，１４１より一端側を各易折曲部１３１，１４１に沿って側方へ折曲する。このとき、この折曲部分の側部には、前記各切込１０１，１２１が形成されており、当該切込１０１，１２１よって前記一端側に各挿入片１３２，１４２を形成することができる。
【００６８】
このため、前記各挿入片１３２，１４２を前記カードホルダー１５３の上から前板１５１及び後板１５２間に挿入して挟持することで、前記表示部１１の他端側を前記陳列棚１１１の前方Ｆへ延出した取付状態を形成することができる。
【００６９】
さらに、図３の（ａ）に示したように、前記陳列棚１１１には、価格表などの紙片の上縁及び下縁を係止するカードレール１７１が前部に設けられたものが知られている。
【００７０】
このような陳列棚１１１に対しては、前記各表示面１２，１３の一端より延出した各端部係止片１６２，１８２を前記カードレール１７１に係止することができる。
【００７１】
これにより、前記表示部１１の他端側を前記陳列棚１１１の前方Ｆへ延出した取付状態を形成することができる。
【００７２】
そして、図３の（ｂ）に示したように、前記カードレール１７１が設けられた陳列棚１１１に対しては、前記第一表示面１２の上縁より延出した上部係止片２０２を前記カードレール１７１に係止することができる。
【００７３】
これにより、前記第一表示面１２が前記陳列棚１１１の前方Ｆへ向いた取付形態をも形成することができ、取付形態のバリエーションを増大することができる。またこのように、複数の形態の陳列棚１１１に対して、単独の表示具１を取り付けることができる。
【符号の説明】
【００７４】
１    表示具
１１    表示部
１２    第一表示面
１３    第二表示面
２１    外側面
２２    第一透光穴
２３    第二透光穴
４６    発光ダイオード
１０１    第一切込
１１１    陳列棚
１１２    こぼれ止めガード
１１３    第一係合溝
１２１    第二切込
１２５    第二係合溝
１３１    第一易折曲部
１４１    第二易折曲部
１６２    第一端部形成片
１７１    カードレール
１８２    第二端部係止片
２０２    上部係止片
Ｆ    前方
【図１】
2015150233.tif 000003
【図２】
2015150233.tif 000004
【図３】
2015150233.tif 000005